(57)【要約】【課題】残像を除去できるプラズマディスプレイ装置を提供する。【解決手段】本発明は、スキャン電極、サステイン電極及びアドレス電極を含むプラズマディスプレイパネルと、第１期間において前記アドレス電極にハイレべルまたはローレベルの何れか一方のレベルの第１データパルスを供給し、第２期間において前記アドレス電極にハイレべルまたはローレベルのうちの他方のレベルの第２データパルス（即ち、第１データパルスのレベルとは異なるレベルの第２データパルス）を供給する駆動部とを備える。【選択図】図１
2007183647.tif 000002
【特許請求の範囲】
【請求項１】
スキャン電極、サステイン電極及びアドレス電極を含むプラズマディスプレイパネルと、
第１期間において前記アドレス電極にハイレべルまたはローレベルの何れか一方のレベルの第１データパルスを供給し、第２期間において前記アドレス電極にハイレべルまたはローレベルのうちの他方のレベルの第２データパルスを供給する駆動部と
を備えるプラズマディスプレイ装置。
【請求項２】
前記駆動部は前記スキャン電極及び前記サステイン電極に形成された壁電荷を消去する消去用パルスを前記スキャン電極、前記サステイン電極または前記アドレス電極の少なくとも１つに供給することを特徴とする請求項１に記載のプラズマディスプレイ装置。
【請求項３】
残像除去モード信号を受信した場合、前記第１データパルス及び前記第２データパルスを供給するように前記駆動部を制御するコントローラを更に備えることを特徴とする請求項１に記載のプラズマディスプレイ装置。
【請求項４】
前記コントローラは前記残像除去モード信号をリモートコントローラまたはキー信号発生部から受信することを特徴とする請求項３に記載のプラズマディスプレイ装置。
【請求項５】
前記第１期間は第ｎ番目のフレームであり、前記第２期間はｎ＋１番目のフレームであることを特徴とする請求項１に記載のプラズマディスプレイ装置。
【請求項６】
前記第１期間はｎ番目のサブフィールドであり、前記第２期間はｎ＋１番目のサブフィールドであることを特徴とする請求項１に記載のプラズマディスプレイ装置。
【請求項７】
前記駆動部は、
前記プラズマディスプレイパネルの全体放電セルで光が放出されるようにする第１データパルスを供給し、
前記プラズマディスプレイパネルの全体放電セルで光が放出されないようにする第２データパルスを供給することを特徴とする請求項１に記載のプラズマディスプレイ装置。
【請求項８】
前記プラズマディスプレイパネルは互いに隣接する第１スキャン電極及び第２スキャン電極と、前記第１スキャン電極に対応する第１放電セルと前記第２スキャン電極に対応する第２放電セルを更に含み、
前記駆動部は
前記第１放電セルで光が放出され前記第２放電セルで光が放出されないようにする前記第１データパルスを供給し、
前記第１放電セルで光が放出されず前記第２放電セルで光が放出されるようにする前記第２データパルスを供給することを特徴とする請求項１に記載のプラズマディスプレイ装置。
【請求項９】
前記駆動部は、第１フレームのＡＰＬと第２フレームのＡＰＬの変化量が臨界値よりも大きければ、第１期間において前記電極に第１データパルスを供給し、第２期間において前記アドレス電極に前記第１データパルスに反転される第２データパルスを供給することを特徴とする請求項１に記載のプラズマディスプレイ装置。
【請求項１０】
前記駆動部は、前記プラズマディスプレイパネルが所定臨界時間において同一の映像を表示するとき、第１期間において前記電極に第１データパルスを供給し、第２期間において前記アドレス電極に前記第１データパルスに反転される第２データパルスを供給することを特徴とする請求項１に記載のプラズマディスプレイ装置。
【請求項１１】
スキャン電極、サステイン電極及びアドレス電極を含むプラズマディスプレイパネルと、
残像除去モード信号の入力を受けるコントローラと、
前記残像除去モード信号が入力される場合、前記スキャン電極及び前記サステイン電極に形成された壁電荷を消去する消去用パルスを前記スキャン電極または前記サステイン電極の内少なくとも１つに供給する駆動部と
を備えるプラズマディスプレイ装置。
【請求項１２】
前記残像除去モード信号を前記コントローラに出力するリモートコントローラまたはキー信号発生部の少なくとも１つを更に備える請求項１１に記載のプラズマディスプレイ装置。
【請求項１３】
前記駆動部は、サステイン期間に第１極性の最後のサステインパルスを前記スキャン電極に供給し、前記第１極性と異なる第２極性の第１消去用パルスと前記第１極性の第２消去用パルスをそれぞれ前記スキャン電極と前記アドレス電極に供給することを特徴とする請求項１１に記載のプラズマディスプレイ装置。
【請求項１４】
前記サステインパルスの幅は前記第１消去用パルス及び前記第２消去用パルスの幅よりも大きいことを特徴とする請求項１３に記載のプラズマディスプレイ装置。
【請求項１５】
前記駆動部は、サステイン期間に第１極性の最後のサステインパルスを前記スキャン電極に供給し、前記第１極性と異なる第２極性の第１消去用パルスと前記第１極性の第２消去用パルスをそれぞれ前記スキャン電極と前記サステイン電極に供給することを特徴とする請求項１１に記載のプラズマディスプレイ装置。
【請求項１６】
前記サステインパルスの幅は前記第１消去用パルス及び前記第２消去用パルスの幅よりも大きいことを特徴とする請求項１５に記載のプラズマディスプレイ装置。
【請求項１７】
前記駆動部は、サステイン期間に第１極性の最後のサステインパルスを前記スキャン電極に供給し、前記第１極性の第１消去用パルスと前記第１極性の第２消去用パルスをそれぞれ前記サステイン電極と前記スキャン電極に供給することを特徴とする請求項１１に記載のプラズマディスプレイ装置。
【請求項１８】
前記サステインパルスの幅は前記第１消去用パルス及び前記第２消去用パルスの幅よりも大きいことを特徴とする請求項１７に記載のプラズマディスプレイ装置。
【請求項１９】
前記駆動部は、サステイン期間に第１極性の最後のサステインパルスを前記スキャン電極に供給し、前記第１極性の電圧から前記第１極性と異なる第２極性の電圧まで漸進的に下降する消去用パルスを前記サステイン電極に供給することを特徴とする請求項１１に記載のプラズマディスプレイ装置。
【請求項２０】
前記駆動部は、前記残像除去モード信号が入力される前のサブフィールドのリセット期間に供給されたセットアップパルスの上昇勾配よりも小さな上昇勾配を有するセットアップパルスを前記残像除去モード信号が入力された後にサブフィールドのリセット期間に供給することを特徴とする請求項１１に記載のプラズマディスプレイ装置。
【請求項２１】
前記駆動部は、前記残像除去モード信号が入力される前のサブフィールドのリセット期間に供給されたセットアップパルスの最高電圧よりも低い最高電圧を有するセットアップパルスを前記残像除去モード信号が入力された後にサブフィールドのリセット期間に供給することを特徴とする請求項１１に記載のプラズマディスプレイ装置。
【請求項２２】
前記駆動部は、前記残像除去モード信号が入力される前のサブフィールドのリセット期間に供給されたリセットパルスの供給回数よりも多い供給回数のリセットパルスを前記残像除去モード信号が入力された後にサブフィールドのリセット期間に供給することを特徴とする請求項１１に記載のプラズマディスプレイ装置。
【発明の詳細な説明】
【技術分野】
【０００１】
本発明はプラズマディスプレイ装置に関する。
【背景技術】
【０００２】
一般に、プラズマディスプレイ装置は複数の電極が形成されたプラズマディスプレイパネルとプラズマディスプレイパネルの電極を駆動させる駆動部とを含む。
【０００３】
プラズマディスプレイパネルは前面パネルと後面パネルとの間に形成された隔壁が放電セルを成すものであって、放電セル内にはネオン(Ｎｅ)、ヘリウム(Ｈｅ)またはネオン及びヘリウムの混合気体(Ｎｅ＋Ｈｅ)と少量のキセノン(Ｘｅ)を含有する放電ガスが充填されている。このような放電セルは画像を表示するための複数個のピクセル(Ｐｉｘｅｌ)を成す。例えば、赤色(Ｒｅｄ、Ｒ)、緑色(Ｇｒｅｅｎ、Ｇ)、青色(Ｂｌｕｅ、Ｂ)の放電セルが集まって、1つのピクセルを成す。
【０００４】
プラズマディスプレイパネルは高周波電圧により放電されるとき、放電ガスは真空紫外線(Ｖａｃｕｕｍ Ｕｌｔｒａｖｉｏｌｅｔ ｒａｙｓ)を発生し、隔壁の間に形成された蛍光体を発光させて映像が実現される。
【０００５】
プラズマディスプレイパネルには放電を発生させるための駆動電圧が供給され、このような駆動電圧によりリセット期間でリセット放電、アドレス期間でアドレス放電、サステイン期間でサステイン放電などの放電が発生することで、映像を表示する。
【０００６】
放電セル内に存在する蛍光体は真空紫外線だけでなく、荷電粒子とも衝突するので、蛍光体表面の状態が一時的または永久的に劣化(ｄｅｇｒａｄａｔｉｏｎ)する。それにより、プラズマディスプレイ装置が表示する画像の残像が発生し得る。特に、プラズマディスプレイパネルの全体または一部で継続的に表示される映像の場合、残像が更に大きく発生し得る。
【発明の開示】
【発明が解決しようとする課題】
【０００７】
そこで、本発明は上記事情に鑑みてなされたものであって、その目的は、残像を除去できるプラズマディスプレイ装置を提供することにある。
【課題を解決するための手段】
【０００８】
上記目的を達成するために、本発明に係るプラズマディスプレイ装置は、スキャン電極、サステイン電極及びアドレス電極を含むプラズマディスプレイパネルと、第１期間において前記アドレス電極にハイレべルまたはローレベルの何れか一方のレベルの第１データパルスを供給し、第２期間において前記アドレス電極にハイレべルまたはローレベルのうちの他方のレベルの第２データパルスを供給する駆動部とを備える。
【０００９】
また、前記駆動部は前記スキャン電極及び前記サステイン電極に形成された壁電荷を消去する消去用パルスを前記スキャン電極、前記サステイン電極またはアドレス電極の少なくとも１つに供給することを特徴とする。
【００１０】
また、残像除去モード信号を受信した場合、前記第１データパルス及び前記第２データパルスを供給するように前記駆動部を制御するコントローラを更に備えることを特徴とする。
【００１１】
さらに、前記コントローラは前記残像除去モード信号をリモートコントローラまたはキー信号発生部から受信することを特徴とする。
【００１２】
また、前記第１期間は第ｎ番目のフレームであり、前記第２期間はｎ＋１番目のフレームであることを特徴とする。
【００１３】
また、前記第１期間はｎ番目のサブフィールドであり、前記第２期間はｎ＋１番目のサブフィールドであることを特徴とする。
【００１４】
また、前記駆動部は前記プラズマディスプレイパネルの全体放電セルで光が放出されるようにする第１データパルスを供給し、前記プラズマディスプレイパネルの全体放電セルで光が放出されないようにする第２データパルスを供給することを特徴とする。
【００１５】
また、前記プラズマディスプレイパネルは互いに隣接する第１スキャン電極及び第２スキャン電極と、前記第１スキャン電極に対応する第１放電セルと前記第２スキャン電極に対応する第２放電セルを更に含み、前記駆動部は、前記第１放電セルで光が放出され前記第２放電セルで光が放出されないようにする前記第１データパルスを供給し、前記第１放電セルで光が放出されず前記第２放電セルで光が放出されるようにする前記第２データパルスを供給することを特徴とする。
【００１６】
また、前記駆動は、第１フレームのＡＰＬと第２フレームのＡＰＬの変化量が臨界値よりも大きければ、第１期間において前記電極に第１データパルスを供給し、第２期間において前記アドレス電極に前記第１データパルスに反転される第２データパルスを供給することを特徴とする。
【００１７】
また、前記駆動部は、前記プラズマディスプレイパネルが所定臨界時間において同一の映像を表示するとき、第１期間において前記電極に第１データパルスを供給し、第２期間において前記アドレス電極に前記第１データパルスに反転される第２データパルスを供給することを特徴とする。
【００１８】
さらに、本発明に係るプラズマディスプレイ装置は、スキャン電極、サステイン電極及びアドレス電極を含むプラズマディスプレイパネルと、残像除去モード信号の入力を受けるコントローラと、前記残像除去モード信号が入力される場合、前記スキャン電極及び前記サステイン電極に形成された壁電荷を消去する消去用パルスを前記スキャン電極または前記サステイン電極の内少なくとも１つに供給する駆動部とを備える。
【００１９】
また、前記残像除去モード信号を前記コントローラに出力するリモートコントローラまたはキー信号発生部の少なくとも１つを更に備えることを特徴とする。
【００２０】
また、前記駆動部は、サステイン期間に第１極性の最後のサステインパルスを前記スキャン電極に供給し、前記第１極性と異なる第２極性の第１消去用パルスと前記第１極性の第２消去用パルスをそれぞれ前記スキャン電極と前記アドレス電極に供給することを特徴とする。
【００２１】
さらに、前記サステインパルスの幅は前記第１消去用パルス及び前記第２消去用パルスの幅よりも大きいことを特徴とする。
【００２２】
また、前記駆動部は、サステイン期間に第１極性の最後のサステインパルスを前記スキャン電極に供給し、前記第１極性と異なる第２極性の第１消去用パルスと前記第１極性の第２消去用パルスをそれぞれ前記スキャン電極と前記サステイン電極に供給することを特徴とする。
【００２３】
さらに、前記サステインパルスの幅は前記第１消去用パルス及び前記第２消去用パルスの幅よりも大きいことを特徴とする。
【００２４】
また、前記駆動部は、サステイン期間に第１極性の最後のサステインパルスを前記スキャン電極に供給し、前記第１極性の第１消去用パルスと前記第１極性の第２消去用パルスをそれぞれ前記サステイン電極と前記スキャン電極に供給することを特徴とする。
【００２５】
さらに、前記サステインパルスの幅は前記第１消去用パルス及び前記第２消去用パルスの幅よりも大きいことを特徴とする。
【００２６】
また、前記駆動部は、サステイン期間に第１極性の最後のサステインパルスを前記スキャン電極に供給し、前記第１極性の電圧から前記第１極性と異なる第２極性の電圧まで漸進的に下降する消去用パルスを前記サステイン電極に供給することを特徴とする。
【００２７】
また、前記駆動部は、前記残像除去モード信号が入力される前のサブフィールドのリセット期間に供給されたセットアップパルスの上昇勾配よりも小さな上昇勾配を有するセットアップパルスを前記残像除去モード信号が入力された後にサブフィールドのリセット期間に供給することを特徴とする。
【００２８】
また、前記駆動部は、前記残像除去モード信号が入力される前のサブフィールドのリセット期間に供給されたセットアップパルスの最高電圧よりも低い最高電圧を有するセットアップパルスを前記残像除去モード信号が入力された後にサブフィールドのリセット期間に供給することを特徴とする。
【００２９】
また、前記駆動部は、前記残像除去モード信号が入力される前のサブフィールドのリセット期間に供給されたリセットパルスの供給回数よりも多い供給回数のリセットパルスを前記残像除去モード信号が入力された後にサブフィールドのリセット期間に供給することを特徴とする。
【発明の効果】
【００３０】
本発明のプラズマディスプレイ装置によれば、残像を除去できる。
【発明を実施するための最良の形態】
【００３１】
以下、添付図面を参照しつつ本発明の一実施形態を説明する。
【００３２】
図１の本発明の実施形態に係るプラズマディスプレイ装置は、プラズマディスプレイパネル１００、駆動部１１０、コントローラ１２０、キー信号発生部１３０、リモートコントローラ１４０、メモリ部１５０及びＡＰＬ計算部１６０を含む。
【００３３】
プラズマディスプレイパネル１００は、複数のスキャン電極Ｙ１、Ｙ２、．．．Ｙｎ、複数のサステイン電極Ｚ１、Ｚ２、．．．Ｚｎ及び複数のアドレス電極Ｘ１、Ｘ２、．．．Ｘｍを含む。複数のアドレス電極Ｘ１、Ｘ２、．．．Ｘｍは複数のスキャン電極Ｙ１、Ｙ２、．．．Ｙｎ及び複数のサステイン電極Ｚ１、Ｚ２、．．．Ｚｎと交差して配置される。
【００３４】
駆動部１１０は、リセット期間にプラズマディスプレイパネル１００の壁電荷を均一にするためのリセットパルス、アドレス期間に光を放出する放電セルを選択するためのスキャンパルス及びサステイン期間に選択された放電セルで光を発生させるサステインパルスを複数のスキャン電極Ｙ１、Ｙ２、．．．Ｙｎに供給する。
【００３５】
駆動部１１０はアドレス期間にスキャンパルスに同期するデータパルスをアドレス電極Ｘ１、Ｘ２、．．．Ｘｍに供給する。スキャンパルスとハイレべルのデータパルスの供給によってアドレス放電が発生した放電セルは、サステインパルスが供給されれば光を放出する。また、駆動部１１０は第１期間の間にアドレス電極Ｘ１、Ｘ２、．．．Ｘｍにハイレべルまたはローレベルの何れか一方のレベルの第１データパルスを供給し、第２期間の間にアドレス電極Ｘ１、Ｘ２、．．．Ｘｍにハイレべルまたはローレベルのうちの他方のレベルの第２データパルス（即ち、第１データパルスのレベルとは異なるレベルの第２データパルス）を供給する。
【００３６】
駆動部１１０はサステインパルスをサステイン電極Ｚ１、Ｚ２、．．．Ｚｎに供給して、アドレス放電が発生した放電セルが光を放出するようにする。
【００３７】
駆動部１１０は、スキャン電極Ｙ１、Ｙ２、．．．Ｙｎ及びサステイン電極Ｚ１、Ｚ２、．．．Ｚｎに形成された壁電荷を消去する消去用パルスをスキャン電極Ｙ１、Ｙ２、．．．Ｙｎ、サステイン電極Ｚ１、Ｚ２、．．．Ｚｎまたはアドレス電極Ｘ１、Ｘ２、．．．Ｘｍの少なくとも１つに供給する。
【００３８】
コントローラ１２０は外部から入力された映像信号に対する逆ガンマ補正、ゲイン調整、ハーフトーニング、サブフィールドマッピング及びサブフィールド再整列の過程を行って、映像データを駆動部１１０に出力する。それにより、駆動部１１０は映像データに該当するデータパルスを供給する。コントローラ１２０は駆動部１１０が供給する各種の駆動パルスの供給タイミングを制御する。
【００３９】
また、コントローラ１２０は残像除去モード信号の入力を受けて、駆動部１１０が残像を除去するための駆動パルスを供給するように制御する。特に、コントローラ１２０は残像除去モード信号の入力を受けて、駆動部１１０が第１データパルスと第２データパルスを供給するように制御する。駆動部１１０とコントローラ１２０の動作についての詳細は、後続する図面を参照して説明する。
【００４０】
キー信号発生部１３０はキーボードを含み、使用者の操作によって残像除去モード信号を出力する。
【００４１】
リモートコントローラ１４０は、使用者の操作によって赤外線型の残像除去モード信号を出力する。
【００４２】
メモリ部１５０は残像除去アルゴリズムを格納する。残像除去アルゴリズムはコントローラ１２０が残像除去モード信号の入力を受けた場合に実行される。コントローラ１２０が残像除去のための制御を開始すれば、コントローラ１２０は駆動部１１０が正常な映像データの出力を遮断するように制御する。
【００４３】
ＡＰＬ(Ａｖｅｒａｇｅ Ｐｉｃｔｕｒｅ Ｌｅｖｅｌ)計算部１６０は各フレームに該当するＡＰＬを計算し、計算されたＡＰＬをコントローラ１２０に出力する。各フレームのＡＰＬはプラズマディスプレイパネルの全体有効放電セルの個数に対する全体有効放電セルのそれぞれに該当する階調値の合計である。なお、有効放電セルとは、光を放出できる放電セルである。
【００４４】
本発明の実施形態において、第１データパルスが供給される第１期間と第２データパルスが供給される第２期間は１つ以上のフレームであることもでき、フレームを構成する複数個のサブフィールドの少なくとも１つであり得る。
【００４５】
例えば、図２に示すように、駆動部１１０がｎ番目のフレーム(ｎｔｈｆｒａｍｅ)とｎ＋２番目のフレーム((ｎ+２)ｔｈ ｆｒａｍｅ)でハイレベルのデータパルスをアドレス電極Ｘ１、Ｘ２、．．．Ｘｍに供給すれば、プラズマディスプレイパネル１００の全体放電セルでアドレス放電が発生する。また、駆動部１１０はｎ＋１番目のフレーム((ｎ+１)ｔｈ ｆｒａｍｅ）とｎ＋３番目のフレーム((ｎ+３)ｔｈ ｆｒａｍｅ)でローレベルのデータパルスをアドレス電極Ｘ１、Ｘ２、．．．Ｘｍに供給すれば、プラズマディスプレイパネル１００の全体放電セルでアドレス放電が発生しない。それにより、本発明の実施形態に係るプラズマディスプレイ装置は、ｎ番目のフレーム(ｎｔｈ ｆｒａｍｅ）とｎ＋２番目のフレーム((ｎ+２)ｔｈ ｆｒａｍｅ)において白色映像を表示し、ｎ＋１番目のフレーム((ｎ+１)ｔｈ ｆｒａｍｅ）とｎ＋３番目のフレーム((ｎ+３)ｔｈ ｆｒａｍｅ)において黒色映像を表示する。
【００４６】
更に、図３に示すように、１つのフレームは８個のサブフィールドＳＦ１〜ＳＦ８を含む。駆動部１１０が奇数番目のサブフィールドＳＦ１、ＳＦ３、ＳＦ５、ＳＦ７でハイレベルのデータパルスをアドレス電極Ｘ１、Ｘ２、．．．Ｘｍに供給すれば、プラズマディスプレイパネル１００の全体放電セルでアドレス放電が発生する。また、駆動部１１０が偶数番目のサブフィールドＳＦ２、ＳＦ４、ＳＦ６、ＳＦ８でローレベルのデータパルスをアドレス電極Ｘ１、Ｘ２、．．．Ｘｍに供給すれば、プラズマディスプレイパネル１００の全体放電セルでアドレス放電が発生しない。それにより、本発明の実施形態に係るプラズマディスプレイ装置は奇数番目のサブフィールドＳＦ１、ＳＦ３、ＳＦ５、ＳＦ７において白色映像を表示し、偶数番目のサブフィールドＳＦ２、ＳＦ４、ＳＦ６、ＳＦ８において黒色映像を表示する。
【００４７】
また、図４に示すように、本発明の実施形態においてプラズマディスプレイパネル１００は互いに隣接する第１スキャン電極及び第２スキャン電極と、第１スキャン電極に対応する第１放電セルＣ１と第２スキャン電極に対応する第２放電セルＣ２を含む。駆動部１１０は、第１放電セルＣ１で光が放出され、第２放電セルＣ２で光が放出されないようにする第１データパルスを供給し、第１放電セルＣ１で光が放出されず第２放電セルＣ２で光が放出されるようにする第２データパルスを供給する。
【００４８】
例えば、駆動部１１０は、ｎ番目のフレーム(ｎｔｈ ｆｒａｍｅ)で奇数番目のスキャン電極Ｙ１、Ｙ３、．．．、Ｙｎ-１にスキャンパルスが供給されるとき、ハイレべルのデータパルスをアドレス電極Ｘ１〜Ｘｍに供給し、偶数番目のスキャン電極Ｙ２、Ｙ４、．．．、Ｙｎにスキャンパルスが供給されるとき、ローレベルのデータパルスをアドレス電極Ｘ１〜Ｘｍに供給する。それにより、奇数番目のスキャン電極Ｙ１、Ｙ３、．．．、Ｙｎ-１に対応する放電セルで光が放出され、偶数番目のスキャン電極Ｙ１、Ｙ３、．．．、Ｙｎ-１に対応する放電セルで光が放出されない。
【００４９】
更に、駆動部１１０は、ｎ＋１番目のフレーム((ｎ+１)ｔｈ ｆｒａｍｅ)で奇数番目のスキャン電極Ｙ１、Ｙ３、．．．、Ｙｎ-１にスキャンパルスが供給されるとき、ローレベルのデータパルスを供給し、偶数番目のスキャン電極Ｙ２、Ｙ４、．．．、Ｙｎにスキャンパルスが供給されるとき、ハイレべルのデータパルスを供給する。それにより、奇数番目のスキャン電極Ｙ１、Ｙ３、．．．、Ｙｎ-１に対応する放電セルで光が放出されず、偶数番目のスキャン電極Ｙ１、Ｙ３、．．．、Ｙｎ-１に対応する放電セルで光が放出される。
【００５０】
放電セル内に存在する蛍光体は真空紫外線だけでなく、荷電粒子とも衝突するので、蛍光体表面の状態が一時的または永久的に劣化して残像が発生し得るが、本発明の実施形態のように、白色映像と黒色映像とが交互に表示されれば、プラズマディスプレイパネルの全体放電セル内の蛍光体の表面が均一化して残像が除去される。
【００５１】
本発明の実施形態に係るプラズマディスプレイ装置のメモリ部１５０は、残像を除去するためのＯＳＤ(Ｏｎ Ｓｃｒｅｅｎ Ｄｉｓｐｌａｙ)データを格納することもできる。コントローラ１２０がメモリ部１５０に格納されたＯＳＤデータに応じて駆動部１１０を制御する場合、本発明の実施形態に係るプラズマディスプレイ装置は図５のＯＳＤを表示する。使用者が残像除去モードを選択すれば、図１のキー信号発生部１３０またはリモートコントローラ１４０は、残像除去モード信号をコントローラ１２０に出力する。それにより、本発明の実施の形態に係るプラズマディスプレイ装置は、図２を通じて説明された残像除去動作を行う。
【００５２】
図５においては、本発明の実施形態に係るプラズマディスプレイ装置がＯＳＤを表示した後、使用者の選択に応じて残像除去モード信号が図１のキー信号発生部１３０またはリモートコントローラ１４０から出力されたが、ＯＳＤの表示なしに使用者が残像除去モードに該当するキー信号発生部１３０またはリモートコントローラ１４０のキーを操作する場合においても、本発明の実施形態に係るプラズマディスプレイ装置は残像除去動作を行うことができる。
【００５３】
本発明の実施形態に係るプラズマディスプレイ装置のコントローラ１２０は、ＡＰＬ計算部１６０からｎ番目のフレーム(ｎｔｈ ｆｒａｍｅ)及びｎ＋１番目のフレーム((ｎ+１)ｔｈ ｆｒａｍｅ）のＡＰＬの入力を受けて、ｎ番目のフレーム(ｎｔｈ ｆｒａｍｅ)及びｎ＋１番目のフレーム((ｎ+１)ｔｈ ｆｒａｍｅ）のＡＰＬの差を計算する。コントローラ１２０はｎ番目のフレーム(ｎｔｈｆｒａｍｅ)及びｎ＋１番目のフレーム((ｎ+１)ｔｈ ｆｒａｍｅ）のＡＰＬの差が臨界値よりも大きければ、駆動部１１０が第１期間においてアドレス電極Ｘ１、Ｘ２、．．．Ｘｍにハイレべルまたはローレベルの何れか一方のレベルの第１データパルスを供給し、第２期間においてアドレス電極Ｘ１、Ｘ２、．．．Ｘｍにハイレべルまたはローレベルのうちの他方のレベルの第２データパルス（即ち、第１データパルスのレベルとは異なるレベルの第２データパルス）を供給する。
【００５４】
例えば、図６に示すように、ｎ番目のフレーム(ｎｔｈ ｆｒａｍｅ)及びｎ＋１番目のフレーム((ｎ+１)ｔｈ ｆｒａｍｅ）のＡＰＬの差が臨界値よりも大きければ、駆動部１１０はｎ＋２番目のフレーム((ｎ+２)ｔｈ ｆｒａｍｅ)及びｎ＋４番目のフレーム((ｎ＋４)ｔｈ ｆｒａｍｅ)においてアドレス電極Ｘ１、Ｘ２、．．．Ｘｍにローレベルの第１データパルスを供給し、ｎ＋３番目のフレーム((ｎ+３)ｔｈ ｆｒａｍｅ)及びｎ＋５番目のフレーム((ｎ＋５)ｔｈ ｆｒａｍｅ)においてアドレス電極Ｘ１、Ｘ２、．．．Ｘｍにハイレべルの第２データパルスを供給する。
【００５５】
本発明の実施形態に係るプラズマディスプレイ装置は、臨界時間において同じ映像を表示するとき、残像除去動作を行う。例えば、臨界時間が３フレームであり、特定画像が(ｎ−３)番目のフレーム((ｎ-３)ｔｈ ｆｒａｍｅ)からｎ番目のフレーム(ｎｔｈ ｆｒａｍｅ)において表示される場合、コントローラ１２０は臨界時間と画像が表示される時間とを比較する。画像が表示される時間、即ち、４フレーム(４ｆｒａｍｅｓ）は、臨界時間、即ち、３フレーム(３ｆｒａｍｅｓ)よりも大きいので、本発明の実施形態に係るプラズマディスプレイ装置の駆動部１１０は第１期間、即ち、ｎ＋１番目のフレーム((ｎ+１)ｔｈ ｆｒａｍｅ)、ｎ＋３番目のフレーム（(ｎ+３)ｔｈｆｒａｍｅ)の間にアドレス電極Ｘ１、Ｘ２、．．．Ｘｍにハイレべルの第１データパルスを供給し、第２期間、即ち、ｎ＋２番目のフレーム((ｎ+２)ｔｈ ｆｒａｍｅ)、ｎ＋４番目のフレーム（(ｎ＋４)ｔｈｆｒａｍｅ)の間にアドレス電極Ｘ１、Ｘ２、．．．Ｘｍにローレベルの第２データパルスを供給する。
【００５６】
上述したように、本発明の実施形態に係るプラズマディスプレイ装置の駆動部１１０は、スキャン電極Ｙ１、Ｙ２、．．．Ｙｎ及びサステイン電極Ｚ１、Ｚ２、．．．Ｚｎに形成された壁電荷を消去する消去用パルスをスキャン電極Ｙ１、Ｙ２、．．．Ｙｎ、サステイン電極Ｚ１、Ｚ２、．．．Ｚｎまたはアドレス電極Ｘ１、Ｘ２、．．．Ｘｍの少なくとも１つに供給する。
【００５７】
すなわち、図８Ａに示すように、駆動部１１０はサステイン期間に第１極性の最後のサステインパルスＳＵＳＬＡＳＴをスキャン電極Ｙに供給した後、第１極性と異なる第２極性の第１消去用パルスＰＥＲＡＳＥ１と第１極性の第２消去用パルスＰＥＲＡＳＥ２をそれぞれスキャン電極Ｙ及びアドレス電極Ｘに供給できる。
【００５８】
例えば、駆動部１１０はサステイン期間に正極性の最後のサステインパルスＳＵＳＬＡＳＴをスキャン電極Ｙに供給した後、負極性の第１消去用パルスＰＥＲＡＳＥ１と正極性の第２消去用パルスＰＥＲＡＳＥ２をそれぞれスキャン電極Ｙ及びアドレス電極Ｘに供給できる。その後、駆動部１１０はリセット期間でリセットパルスＰＲＥＳＥＴとバイアス電圧Ｖｂをそれぞれスキャン電極Ｙ及びサステイン電極Ｚに供給する。
【００５９】
正極性パルスとは、パルスの最高電圧のレベルがグランド電圧ＧＮＤのレベルよりも高いことを意味する。負極性パルスとは、パルスの最低電圧のレベルがグラウンド電圧ＧＮＤのレベルよりも低いことを意味する。例えば、正極性の第２消去用パルスＰＥＲＡＳＥ２は第２消去用パルスＰＥＲＡＳＥ２の最高電圧のレベルがグラウンド電圧ＧＮＤのレベルよりも高いことを意味する。
【００６０】
本発明の実施形態において、図８Ａのサステインパルスの幅ＳＷは、第１消去用パルスの幅Ｗ1及び第２消去用パルスの幅Ｗ２よりも大きくなり得る。また、第１消去用パルスの幅Ｗ１は第２消去用パルスの幅Ｗ２と実質的に同一になり得る。第１消去用パルスの幅Ｗ１及び第２消去用パルスの幅Ｗ２がサステインパルスの幅ＳＷよりも小さいので、第１消去用パルスＰＥＲＡＳＥ１と第２消去用パルスＰＥＲＡＳＥ２によって消去放電が発生する。従って、スキャン電極Ｙ、サステイン電極Ｚ及びアドレス電極Ｘ上の壁電荷を消去する。サステイン期間が終了した後、スキャン電極Ｙ、サステイン電極Ｚ及びアドレス電極Ｘ上に壁電荷が過度に形成されれば、リセットパルスＰＲＥＳＥＴが供給されても全体放電セルに形成された電荷が均一にならず、残像の原因となる。従って、本発明の実施形態のように、第１消去用パルスＰＥＲＡＳＥ１と第２消去用パルスＰＥＲＡＳＥ２により電荷が消去されれば、リセットパルスＰＲＥＳＥＴの供給によって放電セルの電荷が均一になるので、残像が除去される。
【００６１】
図８Ｂに示すように、駆動部１１０はサステイン期間に第１極性の最後のサステインパルスＳＵＳＬＡＳＴをスキャン電極Ｙに供給し、第１極性と異なる第２極性の第１消去用パルスＰＥＲＡＳＥ１と第１極性の第２消去用パルスＰＥＲＡＳＥ２をそれぞれスキャン電極Ｙとサステイン電極Ｚに供給できる。サステインパルスの幅ＳＷは第１消去用パルスの幅Ｗ１及び第２消去用パルスの幅Ｗ２よりも大きくなり得る。第１消去用パルスの幅Ｗ１及び第２消去用パルスの幅Ｗ２がサステインパルスの幅ＳＷよりも小さければ、スキャン電極Ｙの陰電荷とサステイン電極Ｚの陽電荷が放電セルの空間に押出される。それにより、スキャン電極Ｙとサステイン電極Ｚ上の壁電荷が消去され、残像が除去される。
【００６２】
図８Ｃに示すように、駆動部１１０はサステイン期間に第１極性の最後のサステインパルスＳＵＳＬＡＳＴをスキャン電極Ｙに供給し、第１極性の第１消去用パルスＰＥＲＡＳＥ１と第１極性の第２消去用パルスＰＥＲＡＳＥ２をそれぞれサステイン電極Ｚとスキャン電極Ｙに供給できる。サステインパルスの幅ＳＷは第１消去用パルスの幅Ｗ１及び第２消去用パルスの幅Ｗ２よりも大きくなり得る。第１消去用パルスの幅Ｗ１及び第２消去用パルスの幅Ｗ２がサステインパルスの幅ＳＷよりも小さければ、サステイン電極Ｚの陽電荷とスキャン電極Ｙの陰電荷が放電セルの空間に押出される。それにより、スキャン電極Ｙとサステイン電極Ｚ上の壁電荷が消去され、残像が除去される。
【００６３】
図８Ｄに示すように、駆動部１１０はサステイン期間に第１極性の最後のサステインパルスＳＵＳＬＡＳＴをスキャン電極Ｙに供給し、第１極性の電圧ＶＥ１から第１極性と異なる第２極性の電圧ＶＥ２まで漸進的に下降する消去用パルスＰＥＲＡＳＥをサステイン電極Ｚに供給できる。スキャン電極Ｙに最後のサステインパルスＳＵＳＬＡＳＴが印加されれば、スキャン電極Ｙに陰電荷が形成され、サステイン電極Ｚに陽電荷が形成される。ｔ１期間の間にサステイン電極Ｚに消去用パルスＰＥＲＡＳＥが印加されれば、サステイン電極Ｚ周囲の陽電荷が押出され、押出された陽電荷がスキャン電極Ｙの陰電荷と結合する。ｔ２期間の間にサステイン電極Ｚに消去用パルスＰＥＲＡＳＥが印加されれば、サステイン電極Ｚで押出される陽電荷の量が減少する。それにより、スキャン電極Ｙとサステイン電極Ｚ上の電荷が消去され、残像が除去される。
【００６４】
図９の（ａ）に示すように、時点ｔｐで残像除去モード信号が入力されれば、駆動部１１０は残像除去モード信号が入力されたサブフィールドＳＦ１のリセット期間に供給されたセットアップパルスＰＳＥＴＵＰ１の上昇勾配よりも小さな上昇勾配を有するセットアップパルスＰＳＥＴＵＰ２を時点ｔｐ以後のサブフィールドＳＦ２のリセット期間に供給できる。セットアップパルスＰＳＥＴＵＰ１、ＰＳＥＴＵＰ２は第１電圧Ｖｓから第２電圧Ｖｓｔ＋Ｖｓまで漸進的に上昇する波形を有する。上昇勾配は第１電圧Ｖｓから第２電圧Ｖｓｔ＋Ｖｓまで上昇する時間に対する第１電圧Ｖｓと第２電圧Ｖｓｔ＋Ｖｓとの差Ｖｓｔを意味する。それにより、ＳＦ１で放電セルに形成される壁電荷の量よりもＳＦ２で放電セルに形成される壁電荷の量が小さいので、残像が除去される。
【００６５】
図９の（ｂ）に示すように、時点ｔｐで残像除去モード信号が入力されれば、駆動部１１０は残像除去モード信号が入力されたサブフィールドＳＦ１のリセット期間に供給されたセットアップパルスＰＳＥＴＵＰ１の最高電圧ＶＳＥＴＵＰ１よりも低い最高電圧ＶＳＥＴＵＰ２を有するセットアップパルスＰＳＥＴＵＰ２を時点ｔｐ以後のサブフィールドＳＦ２のリセット期間に供給できる。それにより、ＳＦ１で放電セルに形成される壁電荷の量よりもＳＦ２で放電セルに形成される壁電荷の量が小さいので、残像が除去される。
【００６６】
図９の（ｃ）に示すように、時点ｔｐで残像除去モード信号が入力されれば、駆動部１１０は残像除去モード信号が入力されたサブフィールドＳＦ１のリセット期間に供給されたリセットパルスＰＲＥＳＥＴ１の供給回数よりも多い供給回数のリセットパルス、即ち、リセットパルスＰＲＥＳＥＴ２、ＰＲＥＳＥＴ３を時点ｔｐ以後のサブフィールドＳＦ２のリセット期間に供給できる。それにより、ＳＦ１で放電セルに形成される壁電荷の量よりもＳＦ２で放電セルに形成される壁電荷の量が小さいので、残像が除去される。
【００６７】
上述したように、本発明のプラズマディスプレイ装置がＯＳＤを表示するとき、使用者の残像除去モードの選択に応じて図１のキー信号発生部１３０またはリモートコントローラ１４０が残像除去モード信号をコントローラ１２０に出力することで、図８Ａ〜図９の（ｃ）を通じて説明された本発明のプラズマディスプレイ装置の動作を行うことができる。
【００６８】
以上、添付図面を参照して本発明の好ましい実施形態を説明したが、本発明は斯かる実施形態に限定されるものではなく、特許請求の範囲の記載から把握される技術的範囲において種々の実施形態に変更可能である。
【図面の簡単な説明】
【００６９】
【図１】本発明の実施形態に係るプラズマディスプレイ装置を示す図である。
【図２】本発明の実施形態に係るプラズマディスプレイ装置がフレーム毎に表示する映像を示す図である。
【図３】本発明の実施形態に係るプラズマディスプレイ装置がサブフィールド毎に表示する映像を示す図である。
【図４】本発明の実施形態に係るプラズマディスプレイ装置が表示するストライプ型の映像を示す図である。
【図５】残像除去のためのＯＳＤが表示された状態を示す図である。
【図６】本発明の実施形態に係るプラズマディスプレイ装置がＡＰＬによって残像を除去する動作を示す図である。
【図７】本発明の実施形態に係るプラズマディスプレイ装置が画像によって残像を除去する動作を示す図である。
【図８Ａ】本発明の実施形態に係るプラズマディスプレイ装置の駆動パルスの第１の実施形態を示す図である。
【図８Ｂ】本発明の実施形態に係るプラズマディスプレイ装置の駆動パルスの第２の実施形態を示す図である。
【図８Ｃ】本発明の実施形態に係るプラズマディスプレイ装置の駆動パルスの第３の実施形態を示す図である。
【図８Ｄ】本発明の実施形態に係るプラズマディスプレイ装置の駆動パルスの第４の実施形態を示す図である。
【図９】本発明の実施形態に係るプラズマディスプレイ装置の駆動パルスの第５ないし第７の実施形態を示す図である。
【図１】
2007183647.tif 000003
【図２】
2007183647.tif 000004
【図３】
2007183647.tif 000005
【図４】
2007183647.tif 000006
【図５】
2007183647.tif 000007
【図６】
2007183647.tif 000008
【図７】
2007183647.tif 000009
【図８Ａ】
2007183647.tif 000010
【図８Ｂ】
2007183647.tif 000011
【図８Ｃ】
2007183647.tif 000012
【図８Ｄ】
2007183647.tif 000013
【図９】
2007183647.tif 000014